(57)【要約】【課題】ドラムユニットに意図しない衝撃が加わった場合であっても、ドラムユニットに対する現像カートリッジのロックを維持できるドラムユニットを提供する。【解決手段】  ドラムユニット１は、感光ドラム３Ｍを有する。ドラムユニット１は、現像カートリッジ１０１Ｍを装着可能である。ドラムユニット１は、ロックレバー１１Ｍと、離間レバー１２Ｍとを備える。離間レバー１２Ｍは、バネ部材２２を有する。バネ部材２２は、現像カートリッジ１０１Ｍがドラムユニット１に装着された状態で、ロックレバー１１Ｍによるロックが解除されることを規制する。【選択図】図３
2018173562.tif 000002
【特許請求の範囲】
【請求項１】
第１方向に延びる現像軸について回転可能な現像ローラと、トナーを収容可能な筐体と、前記第１方向に延び、前記第１方向における前記筐体の外表面に位置するボスと、を有する現像カートリッジを装着可能なドラムユニットであって、
感光ドラムと、
前記現像カートリッジが前記ドラムユニットに装着された状態で、前記ボスと接触して前記ドラムユニットに前記現像カートリッジをロックするためのロックレバーであって、前記現像カートリッジが前記ドラムユニットに装着された状態で、前記現像カートリッジの前記ボスを押圧する押圧位置と、前記ボスへの押圧を解除する押圧解除位置との間を回動可能であるロックレバーと、
前記現像カートリッジが前記ドラムユニットに装着された状態で、前記現像カートリッジの前記ボスに対して前記ロックレバーの反対側に位置する離間レバーであって、前記現像カートリッジが前記ドラムユニットに装着された状態で、前記現像ローラが前記感光ドラムに接触した接触位置から、前記現像ローラが前記感光ドラムから離間した離間位置へ、前記現像カートリッジを移動させるために、第１位置から第２位置へ回動可能な離間レバーと、を備え、
前記離間レバーは、
前記現像カートリッジが前記ドラムユニットに装着されるときに、前記ボスをガイドするための第１ガイド部と、
前記現像カートリッジが前記ドラムユニットに装着されるときに、前記ボスと接触する第２ガイド部を有するバネ部材であって、第１位置と、前記第２ガイド部が前記第１位置よりも第１ガイド部から離れた第２位置との間を移動可能なバネ部材と、を有し、
前記バネ部材は、前記現像カートリッジが前記ドラムユニットに装着される途中で、前記第２ガイド部と前記現像カートリッジの前記ボスとが接触して前記第１位置に位置し、前記現像カートリッジが前記ドラムユニットに装着された状態で、前記第２ガイド部と前記現像カートリッジの前記ボスとが離間して前記第２位置に位置する、ことを特徴とするドラムユニット。
【請求項２】
前記離間レバーは、前記第１位置から前記第２位置への前記バネ部材の移動方向である第２方向に延びる第１リブを有し、
前記バネ部材は、前記第１リブを挟み、
前記第１リブは、前記第２方向に対して傾斜する傾斜部であって、前記バネ部材が前記第１リブを挟む力を、前記バネ部材が前記第１位置から前記第２位置へと移動するための力に変換可能な傾斜部を有する、ことを特徴とする請求項１に記載のドラムユニット。
【請求項３】
前記第１リブは、前記第１方向および前記第２方向と交差する第３方向において、前記傾斜部と離れて位置する接触部と、を有し、
前記傾斜部は、一端と、前記第２方向において前記傾斜部の前記一端よりも下流側に位置する他端と、を有し、
前記接触部は、一端と、前記第２方向において前記接触部の前記一端よりも下流側に位置する他端と、を有し、
前記傾斜部の前記一端と前記接触部の前記一端との間の長さは、
前記傾斜部の前記他端と前記接触部の前記他端の間の長さよりも長い、ことを特徴と
する請求項２に記載のドラムユニット。
【請求項４】
前記接触部は、前記第２方向に延びる、ことを特徴とする請求項３に記載のドラムユニット。
【請求項５】
前記バネ部材は、
前記第２方向に延び、前記第１リブの前記傾斜部と接触する第１部分と、
前記第２方向に延び、前記第１リブの前記接触部と接触する第２部分であって、前記第１方向および前記第２方向と交差する第３方向において前記第１部分と離れて位置する第２部分と、をさらに有し、
前記第２ガイド部は、前記第１部分と前記第２部分とを連結し、
前記第２ガイド部が前記現像カートリッジの前記ボスと接触したときの、前記第１部分と前記第２部分との間の長さは、
前記第２ガイド部が前記現像カートリッジの前記ボスと離間したときの、前記第１部分と前記第２部分との間の長さよりも大きい、ことを特徴とする請求項３または請求項４に記載のドラムユニット。
【請求項６】
前記離間レバーは、前記第２方向に延びる第２リブであって、前記バネ部材の前記第２部分に対して前記第１リブの反対側に位置する第２リブを有することを特徴とする、請求項５に記載のドラムユニット。
【請求項７】
前記第１リブは、前記第３方向に延びる突起であって、前記バネ部材が前記第２位置に位置するときに、前記バネ部材の前記第１部分と接触する突起を備えることを特徴とする、請求項５または請求項６に記載のドラムユニット。
【請求項８】
前記第２ガイド部は、
前記第２部分から前記第１部分とは離れて延びる第３部分と、
前記第１部分と前記第３部分とを繋ぐ第４部分であって、前記現像カートリッジが前記ドラムユニットから取り外される途中で、前記現像カートリッジの前記ボスと接触する第４部分とを有する、ことを特徴とする、請求項５から請求項７のいずれか一項に記載のドラムユニット。
【請求項９】
前記第１部分は、前記第１リブから離れる方向へ湾曲した湾曲部であって、前記第１リブの前記傾斜部に接触する湾曲部を有することを特徴とする、請求項５から請求項８のいずれか一項に記載のドラムユニット。
【請求項１０】
前記第２部分は、前記第１リブから離れる方向へ湾曲した湾曲部であって、前記第１リブの前記接触部に接触する湾曲部を有することを特徴とする、請求項５から請求項９のいずれか一項に記載のドラムユニット。
【請求項１１】
前記バネ部材は、板バネからなる、ことを特徴とする請求項１から請求項１０のいずれか一項に記載のドラムユニット。
【請求項１２】
前記第２ガイド部は、前記バネ部材が前記第２位置に位置するとき、前記ロックレバーとの間の距離が、前記現像カートリッジの前記ボスの直径よりも小さい第１距離となる、ことを特徴とする請求項１から請求項１１のいずれか一項に記載のドラムユニット。
【請求項１３】
前記バネ部材は、前記現像カートリッジが前記ドラムユニットから取り外された状態で、前記第２位置に位置することを特徴とする、請求項１から請求項１２のいずれか一項に記載のドラムユニット。
【請求項１４】
前記バネ部材は、
前記第２ガイド部を有し、前記現像カートリッジが前記ドラムユニットに装着された状態で、前記ロックレバーによるロックが解除されることを規制するための規制部であって、前記第１位置と前記第２位置との間を移動可能な規制部と、
前記第１位置に位置する前記規制部を前記第２位置へ向けて押圧するコイルバネと、を有し、
前記第２ガイド部が前記現像カートリッジの前記ボスと接触したときの、前記第１位置から前記第２位置への前記規制部の移動方向である第２方向における前記コイルバネの長さは、前記第２ガイド部が前記現像カートリッジの前記ボスから離間したときの、前記第２方向における前記コイルバネの長さよりも短い、ことを特徴とする、請求項１から請求項１３のいずれか一項に記載のドラムユニット。
【発明の詳細な説明】
【技術分野】
【０００１】
本発明は、ドラムユニットに関する。
【背景技術】
【０００２】
従来より、現像カートリッジが装着されるドラムユニットが知られている。例えば、ドラムユニットは、ロックレバーと、離間レバーとを備える。ロックレバーは、現像カートリッジをドラムユニットに対してロックする。離間レバーは、ドラムユニットが画像形成装置に装着された状態で、現像カートリッジを、現像ローラが感光ドラムに接触する接触位置から、現像ローラが感光ドラムから離間した離間位置へ、移動させる（下記特許文献１参照）。
【先行技術文献】
【特許文献】
【０００３】
【特許文献１】特開２００９−２１０６３１号公報
【発明の概要】
【発明が解決しようとする課題】
【０００４】
上記した特許文献１に記載のドラムユニットにおいて、ドラムユニットに対する現像カートリッジのロックが外れる方向に、意図しない衝撃が加わった場合、ドラムユニットに対する現像カートリッジのロックが外れる可能性がある。
【０００５】
そこで、本開示の目的は、ドラムユニットに意図しない衝撃が加わった場合であっても、ドラムユニットに対する現像カートリッジのロックを維持できるドラムユニットを提供することにある。
【課題を解決するための手段】
【０００６】
本発明のドラムユニットは、現像カートリッジを装着可能である。現像カートリッジは、現像ローラと、筐体と、ボスとを有する。現像ローラは、第１方向に延びる現像軸について回転可能である。筐体は、トナーを収容可能である。ボスは、第１方向に延びる。ボスは、第１方向における筐体の外表面に位置する。ドラムユニットは、感光ドラムと、ロックレバーと、離間レバーとを備える。
【０００７】
ロックレバーは、現像カートリッジがドラムユニットに装着された状態で、ボスと接触してドラムユニットに現像カートリッジをロックする。ロックレバーは、現像カートリッジがドラムユニットに装着された状態で、現像カートリッジのボスを押圧する押圧位置と、ボスへの押圧を解除する押圧解除位置との間を回動可能である。
【０００８】
離間レバーは、現像カートリッジがドラムユニットに装着された状態で、現像カートリッジのボスに対してロックレバーの反対側に位置する。離間レバーは、現像カートリッジがドラムユニットに装着された状態で、現像ローラが感光ドラムに接触した接触位置から、現像ローラが感光ドラムから離間した離間位置へ、現像カートリッジを移動させるために、第１位置から第２位置へ回動可能である。
【０００９】
離間レバーは、現像カートリッジがドラムユニットに装着されるときに、現像カートリッジのボスをガイドするための第１ガイド部と、現像カートリッジがドラムユニットに装着されるときに、現像カートリッジのボスと接触する第２ガイド部を有するバネ部材であって、第１位置と、第２ガイド部が第１位置よりも第１ガイド部から離れた第２位置との間を移動可能なバネ部材と、を有する。
【００１０】
バネ部材は、現像カートリッジがドラムユニットに装着される途中で、第２ガイド部と現像カートリッジのボスとが接触して第１位置に位置し、現像カートリッジがドラムユニットに装着されたときに、第２ガイド部と現像カートリッジのボスとが離間して第２位置に位置する。
【００１１】
このような構成によれば、現像カートリッジがドラムユニットに装着されたとき、バネ部材が第２位置に位置する。
【００１２】
これにより、現像カートリッジがドラムユニットに装着された状態で、ドラムユニットに意図しない衝撃が加わったとしても、ボスがバネ部材とロックレバーとの間を通過することを規制できる。
【００１３】
その結果、ドラムユニットに意図しない衝撃が加わった場合であっても、ドラムユニットに対する現像カートリッジのロックを維持できる。
【００１４】
また、現像カートリッジがドラムユニットに装着される途中で、バネ部材が第１位置に位置することにより、ボスがバネ部材とロックレバーとの間を通過することを規制しない。
【００１５】
これにより、現像カートリッジをドラムユニットに円滑に装着することができる。
【発明の効果】
【００１６】
本発明のドラムユニットによれば、ドラムユニットに意図しない衝撃が加わった場合であっても、ドラムユニットに対する現像カートリッジのロックを維持できる。
【図面の簡単な説明】
【００１７】
【図１】図１は、本発明のドラムユニットの斜視図である。
【図２】図２は、図１に示すドラムユニットが装着される画像形成装置の概略構成図である。
【図３】図３Ａは、現像カートリッジがドラムユニットに装着され、現像カートリッジが接触位置に位置した状態を示す断面図であって、ボスおよびロックレバーを通る断面図である。図３Ｂは、図３Ａのドラムユニットであって、現像カートリッジが離間位置に位置した状態を示す。
【図４】図４Ａは、図３Ａに示す離間レバーの斜視図である。図４Ｂは、図４Ａに示す離間レバーを別のアングルから見た斜視図である。
【図５】図５は、図３Ａに示す離間レバーの拡大図である。
【図６】図６Ａは、図３Ａに示すバネ部材の側面図である。図６Ｂは、図６Ａに示すバネ部材の斜視図である。
【図７】図７は、ドラムユニットに対する現像カートリッジの装着について説明するための説明図であって、バネ部材が第２位置に位置し、ボスがバネ部材に接触した状態を示す。
【図８】図８は、図７に続いて、ドラムユニットに対する現像カートリッジの装着について説明するための説明図であって、バネ部材が、ボスによって押圧されることにより第１位置に位置した状態を示す。
【図９】図９Ａは、離間レバーの変形例を示す側面図であって、規制部が第２位置に位置する状態を示す。図９Ｂは、図９Ａに示す離間レバーの断面図である。
【図１０】図１０Ａは、図９Ａおよび図９Ｂとともに離間レバーの変形例を示す側面図であって、規制部が第１位置に位置する状態を示す。図１０Ｂは、図１０Ａに示す離間レバーの断面図である。
【発明を実施するための形態】
【００１８】
１．ドラムユニット１の概略
図１から図３Ａを参照して、ドラムユニット１の概略について説明する。
【００１９】
図１に示すように、ドラムユニット１は、装着方向において、画像形成装置１００（図２参照）に装着可能である。ドラムユニット１は、側板２Ａと、側板２Ｂと、複数の感光ドラム３Ｋ、３Ｙ、３Ｍ、３Ｃ（図２参照）とを備える。
【００２０】
側板２Ａは、側板２Ｂとともに、複数の感光ドラム３Ｋ、３Ｙ、３Ｍ、３Ｃを支持する。側板２Ａは、後述するドラム軸Ａ１（図２参照）が延びる軸方向において、側板２Ｂに対して間隔を空けて位置する。側板２Ａは、装着方向に延びる。側板２Ａは、複数のガイド４Ｋ、４Ｙ、４Ｍ（図３Ａ参照）、４Ｃを有する。
【００２１】
複数のガイド４Ｋ、４Ｙ、４Ｍ、４Ｃは、装着方向に並ぶ。複数のガイド４Ｋ、４Ｙ、４Ｍ、４Ｃは、装着方向において、互いに間隔を空ける。なお、複数のガイド４Ｋ、４Ｙ、４Ｍ、４Ｃは、それぞれ、同じ構造を有する。そのため、以下の説明では、ガイド４Ｍについて説明し、ガイド４Ｋ、４Ｙ、４Ｃについての説明を省略する。図３Ａに示すように、ガイド４Ｍは、現像カートリッジ１０１Ｍがドラムユニット１に装着されるときに、現像カートリッジ１０１Ｍの現像ローラ１０３のシャフト１０３Ａをガイドする。ガイド４Ｍには、現像カートリッジ１０１Ｍがドラムユニット１に装着されるときに、現像カートリッジ１０１Ｍの現像ローラ１０３のシャフト１０３Ａが、嵌まる。
【００２２】
図１に示すように、側板２Ｂは、側板２Ａとともに、複数の感光ドラム３Ｋ、３Ｙ、３Ｍ、３Ｃを支持する。側板２Ｂは、軸方向において、側板２Ａに対して間隔を空けて位置する。側板２Ｂは、装着方向に延びる。側板２Ｂは、図示しない複数のガイドを有する。図示しない複数のガイドのそれぞれは、側板２Ａのガイド４Ｍと同様に、対応する現像カートリッジのシャフトをガイドする。
【００２３】
図２に示すように、複数の感光ドラム３Ｋ、３Ｙ、３Ｍ、３Ｃは、装着方向に並ぶ。複数の感光ドラム３Ｋ、３Ｙ、３Ｍ、３Ｃは、装着方向において、互いに間隔を空ける。なお、複数の感光ドラム３Ｋ、３Ｙ、３Ｍ、３Ｃは、それぞれ、同じ構造を有する。そのため、以下の説明では、感光ドラム３Ｍについて説明し、感光ドラム３Ｋ、３Ｙ、３Ｃについての説明を省略する。感光ドラム３Ｍは、トナー像が形成されるように構成される。感光ドラム３Ｍは、軸方向に延びる。感光ドラム３Ｍは、軸方向に延びるドラム軸Ａ１について回転可能である。
【００２４】
また、ドラムユニット１は、複数の現像カートリッジ１０１Ｋ、１０１Ｙ、１０１Ｍ、１０１Ｃを装着可能である。なお、複数の現像カートリッジ１０１Ｋ、１０１Ｙ、１０１Ｍ、１０１Ｃは、それぞれ、同じ構造を有する。そのため、以下の説明では、現像カートリッジ１０１Ｍについて説明し、現像カートリッジ１０１Ｋ、１０１Ｙ、１０１Ｃについての説明を省略する。現像カートリッジ１０１Ｍは、筐体１０２と、現像ローラ１０３とを有する。
【００２５】
筐体１０２は、トナーを収容可能である。
【００２６】
現像ローラ１０３は、筐体１０２内のトナーを感光ドラム３Ｍに供給するように構成される。現像ローラ１０３は、第１方向に延びる現像軸Ａ２について回転可能である。第１方向は、現像カートリッジ１０１Ｍがドラムユニット１に装着された状態で、軸方向と同じ方向である。現像ローラ１０３は、現像カートリッジ１０１Ｍがドラムユニット１に装着された状態で、感光ドラム３Ｍに接触する。
【００２７】
２．ドラムユニット１の詳細
図１から図８を参照して、ドラムユニット１の詳細について説明する。
【００２８】
図１に示すように、ドラムユニット１は、複数のロックレバー１１Ｋ、１１Ｙ、１１Ｍ、１１Ｃと、複数の離間レバー１２Ｋ、１２Ｙ、１２Ｍ、１２Ｃとを備える。詳しくは、側板２Ａは、複数のロックレバー１１Ｋ、１１Ｙ、１１Ｍ、１１Ｃと、複数の離間レバー１２Ｋ、１２Ｙ、１２Ｍ、１２Ｃとを備える。また、側板２Ｂも、側板２Ａと同様に、複数のロックレバー１１Ｋ、１１Ｙ、１１Ｍ、１１Ｃと、複数の離間レバー１２Ｋ、１２Ｙ、１２Ｍ、１２Ｃとを備える。なお、側板２Ａの複数のロックレバー１１Ｋ、１１Ｙ、１１Ｍ、１１Ｃ、および、側板２Ｂの複数のロックレバー１１Ｋ、１１Ｙ、１１Ｍ、１１Ｃは、それぞれ、同じ構造を有する。そのため、以下の説明では、側板２Ａのロックレバー１１Ｍについて説明し、側板２Ａのロックレバー１１Ｋ、１１Ｙ、１１Ｃ、および、側板２Ｂのロックレバー１１Ｋ、１１Ｙ、１１Ｍ、１１Ｃについての説明を省略する。また、側板２Ａの複数の離間レバー１２Ｋ、１２Ｙ、１２Ｍ、１２Ｃ、および、側板２Ｂの複数の離間レバー１２Ｋ、１２Ｙ、１２Ｍ、１２Ｃは、それぞれ、同じ構造を有する。そのため、以下の説明では、側板２Ａの離間レバー１２Ｍについて説明し、側板２Ａの離間レバー１２Ｋ、１２Ｙ、１２Ｃ、および、側板２Ｂの離間レバー１２Ｋ、１２Ｙ、１２Ｍ、１２Ｃについての説明を省略する。
【００２９】
また、図３Ａに示すように、現像カートリッジ１０１Ｍは、ボス１０４を有する。ボス１０４は、第１方向における筐体１０２の外表面に位置する。ボス１０４は、第１方向に延びる。
【００３０】
ロックレバー１１Ｍは、現像カートリッジ１０１Ｍがドラムユニット１に装着された状態で、ボス１０４を押圧することにより、現像カートリッジ１０１Ｍをドラムユニット１に対してロックする。現像カートリッジ１０１Ｍをドラムユニット１に対してロックするとは、現像ローラ１０３が感光ドラム３Ｍに対して所定の押圧力で接触するように、現像カートリッジ１０１Ｍをドラムユニット１に対して固定することをいう。なお、現像カートリッジ１０１Ｍは、ドラムユニット１にロックされた状態で、ドラムユニット１に対して所定の範囲で移動可能であってもよい。現像カートリッジ１０１Ｍがドラムユニット１にロックされた状態で、現像カートリッジ１０１Ｍがドラムユニット１に対して移動する範囲は、感光ドラム３Ｍに対する現像ローラ１０３の押圧力が所定の押圧力となる範囲である。離間レバー１２Ｍは、バネ部材２２を有する。バネ部材２２は、現像カートリッジ１０１Ｍがドラムユニット１に装着された状態で、ロックレバー１１Ｍによる現像カートリッジ１０１Ｍに対するロックが解除されることを規制する。詳しくは、バネ部材２２は、現像カートリッジ１０１Ｍがドラムユニット１に装着された状態で、ボス１０４がロックレバー１１Ｍから外れることを、規制する。
【００３１】
以下、ロックレバー１１Ｍおよび離間レバー１２Ｍについて、詳細に説明する。
【００３２】
２．１  ロックレバー１１Ｍ
図３Ａに示すように、ロックレバー１１Ｍは、現像カートリッジ１０１Ｍがドラムユニット１に装着された状態で、ボス１０４と接触してドラムユニット１に現像カートリッジ１０１Ｍをロックする。ロックレバー１１Ｍは、現像カートリッジ１０１Ｍがドラムユニット１に装着された状態で、押圧位置（図３Ａ参照）と、押圧解除位置（図７参照）との間を回動可能である。ロックレバー１１Ｍは、押圧位置に位置するときに、現像カートリッジ１０１Ｍのボス１０４を押圧する。詳しくは、ロックレバー１１Ｍは、現像カートリッジ１０１Ｍがドラムユニット１に装着され、ボス１０４がロックレバー１１Ｍと感光ドラム３Ｍとの間に位置するときに、押圧位置に位置する。ロックレバー１１Ｍは、押圧位置に位置するときに、ボス１０４を、感光ドラム３Ｍに向かう成分を含む方向に向かって押圧する。また、図７に示すように、ロックレバー１１Ｍは、押圧解除位置に位置するときに、ボス１０４への押圧を解除する。ロックレバー１１Ｍは、ボス１０４がロックレバー１１Ｍから外れたときに、押圧解除位置に位置する。
【００３３】
２．２  離間レバー１２Ｍ
図３Ａおよび図３Ｂに示すように、離間レバー１２Ｍは、現像ローラ１０３が感光ドラム３Ｍに接触した接触位置（図３Ａ参照）から、現像ローラ１０３が感光ドラム３Ｍから離間した離間位置（図３Ｂ参照）へ、現像カートリッジ１０１Ｍを移動させるように構成される。離間レバー１２Ｍは、現像カートリッジ１０１Ｍがドラムユニット１に装着された状態（図３Ａ参照）で、現像カートリッジ１０１Ｍのボス１０４に対してロックレバー１１Ｍの反対側に位置する。離間レバー１２Ｍは、現像カートリッジ１０１Ｍがドラムユニット１に装着された状態で、第１位置（図３Ａ参照）から第２位置（図３Ｂ参照）へ回動可能である。離間レバー１２Ｍは、第１位置から第２位置へ回動することにより、接触位置から離間位置へ、現像カートリッジ１０１Ｍを移動させる。離間レバー１２Ｍは、第１ガイド部２８（図４Ａ参照）と、第１リブ２０と、第２リブ２１と、バネ部材２２とを有する。
【００３４】
２．２．１  第１ガイド部２８
図４Ａに示すように、第１ガイド部２８は、現像カートリッジ１０１Ｍがドラムユニット１に装着されるときに、現像カートリッジ１０１Ｍのボス１０４をガイドするように構成される。第１ガイド部２８は、現像カートリッジ１０１Ｍがドラムユニット１に装着されるときに、現像カートリッジ１０１Ｍのボス１０４と接触する。なお、第１ガイド部２８は、現像カートリッジ１０１Ｍがドラムユニット１に装着された状態で、軸方向において、第１リブ２０と、現像カートリッジ１０１Ｍの筐体１０２との間に位置する。
【００３５】
２．２．２  第１リブ２０
第１リブ２０には、バネ部材２２が取り付けられる。第１リブ２０は、現像カートリッジ１０１Ｍがドラムユニット１に装着された状態で、第２リブ２１に対してボス１０４の反対側に位置する。図４Ａおよび図４Ｂに示すように、第１リブ２０は、離間レバー１２Ｍから軸方向に突出する。第１リブ２０は、第２方向に延びる。第２方向は、後述する第１位置（図８参照）から第２位置（図３Ａ参照）へのバネ部材２２の移動方向である。第１リブ２０は、傾斜部２５と、接触部２６と、突起２７とを備える。
【００３６】
傾斜部２５には、バネ部材２２が第１リブ２０に取り付けられた状態で、後述するバネ部材２２の第１部分２２Ａ（図６Ａ参照）が、接触する。傾斜部２５は、第２方向に延びるリブである。なお、傾斜部２５は、直線状の傾斜面を有してもよく、湾曲した傾斜面を有してもよい。傾斜部２５は、第２方向において、一端２５Ａと、他端２５Ｂとを有する。他端２５Ｂは、第２方向において、傾斜部２５の一端２５Ａよりも下流側に位置する。図５に示すように、傾斜部２５は、接触部２６に対して、第２リブ２１の反対側に位置する。傾斜部２５は、第２方向に対して傾斜する。詳しくは、傾斜部２５は、第２方向の下流側へ向かうにつれて、接触部２６に近づくように、傾斜する。
【００３７】
接触部２６には、バネ部材２２が第１リブ２０に取り付けられた状態で、後述するバネ部材２２の第２部分２２Ｂ（図６Ａ参照）が、接触する。接触部２６は、第３方向において、傾斜部２５と離れて位置する。第３方向は、第１方向および第２方向と交差する。好ましくは、第３方向は、第１方向および第２方向と直交する。接触部２６は、第３方向において、傾斜部２５と第２リブ２１との間に位置する。接触部２６は、第１リブ２０の表面である。接触部２６は、第２方向に延びる。詳しくは、接触部２６は、第２方向に沿って延びる。接触部２６は、第２方向に対して傾斜しない。接触部２６は、第２方向において、一端２６Ａと、他端２６Ｂとを有する。他端２６Ｂは、第２方向において、接触部２６の一端２６Ａよりも下流側に位置する。接触部２６が第２方向に対して傾斜せず、傾斜部２５が第２方向に対して傾斜しているので、傾斜部２５の一端２５Ａと接触部２６の一端２６Ａとの間の長さＬ１は、傾斜部２５の他端２５Ｂと接触部２６の他端２６Ｂの間の長さＬ２よりも長い。これにより、図７および図８に示すように、バネ部材２２は、第２位置から第１位置へ移動するときに、傾斜部２５によって、第１部分２２Ａが第２部分２２Ｂから離れるように変形する。その後、バネ部材２２は、第１部分２２Ａが第２部分２２Ｂに近づくように復元することにより、傾斜部２５の傾斜に沿って、第１位置から第２位置へ移動する。このとき、傾斜部２５は、バネ部材２２が第１リブ２０を挟む力を、バネ部材２２が第１位置から第２位置へと移動するための力に変換する。詳しくは、バネ部材２２が第１位置に位置した状態（図８参照）で、バネ部材２２は、傾斜部２５によって、第１部分２２Ａが第２部分２２Ｂから離れるように変形している。これにより、バネ部材２２が第１位置に位置した状態で、第１部分２２Ａは、バネ部材２２の弾性により、第３方向において第２部分２２Ｂに近づく方向に向かって、傾斜部２５を押圧する。このとき、第１部分２２Ａが傾斜部２５を押圧する力が、バネ部材２２が第１リブ２０を挟む力である。傾斜部２５の剛性により、傾斜部２５には、第１部分２２Ａが傾斜部２５を押圧する力と等しい応力が生じる。応力は、第２方向へ向かう成分を含む。つまり、傾斜部２５は、第１部分２２Ａが傾斜部２５を押圧する力を、第２方向に向かう力に変換する。そして、バネ部材２２が第１位置から第２位置へ移動するときには、バネ部材２２は、傾斜部２５の応力によって、第２方向に移動する。
【００３８】
図４Ａおよび図５に示すように、突起２７は、第３方向において、接触部２６に対して、第２リブ２１の反対側に位置する。突起２７は、第２方向において、傾斜部２５に対して下流側に位置する。突起２７は、第３方向に延びる。突起２７は、バネ部材２２が第２位置（図３Ａ参照）に位置するときに、バネ部材２２の第１部分２２Ａ（図６Ｂ参照）と接触する。詳しくは、突起２７は、バネ部材２２の開口３０に挿入される。突起２７は、バネ部材２２が第２位置に位置するときに、開口３０の縁と接触する。突起２７がバネ部材２２の第１部分２２Ａと接触することにより、バネ部材２２が第１リブ２０から離脱することを防止できる。
【００３９】
２．２．３  第２リブ２１
図３Ａおよび図３Ｂに示すように、第２リブ２１は、離間レバー１２Ｍが第１位置から第２位置へ回動するときに、ボス１０４を、感光ドラム３Ｍから離れる方向へ向かって押圧する。第２リブ２１は、現像カートリッジ１０１Ｍがドラムユニット１に装着された状態で、現像カートリッジ１０１Ｍのボス１０４に対してロックレバー１１Ｍの反対側に位置する。図４Ｂに示すように、第２リブ２１は、離間レバー１２Ｍから軸方向に突出する。図５に示すように、第２リブ２１は、第２方向に延びる。第２リブ２１は、第３方向において、接触部２６に対して、傾斜部２５の反対側に位置する。第２リブ２１は、バネ部材２２が第１リブ２０に取り付けられた状態（図７参照）で、バネ部材２２の第２部分２２Ｂに対して第１リブ２０の反対側に位置する。これにより、第２ガイド部２２Ｃが現像カートリッジ１０１Ｍのボス１０４によって押圧されたときに、第２部分２２Ｂが第２リブ２１に接触することにより、第２ガイド部２２Ｃが過度に変形することを防止できる。
【００４０】
２．２．４  バネ部材２２
バネ部材２２は、第１位置（図８参照）と、第２位置（図３Ａ参照）との間で移動可能である。また、バネ部材２２は、現像カートリッジ１０１Ｍがドラムユニット１から取り外された状態で、第２位置に位置する。バネ部材２２は、現像カートリッジ１０１Ｍがドラムユニット１に装着されるときに、現像カートリッジ１０１Ｍのボス１０４と接触する第２ガイド部２２Ｃを有する。
【００４１】
バネ部材２２は、図７および図８に示すように、現像カートリッジ１０１Ｍがドラムユニット１に装着される途中で、第２ガイド部２２Ｃと現像カートリッジ１０１Ｍのボス１０４とが接触して第１位置（図８参照）に位置する。バネ部材２２が第１位置に位置するときに、第２ガイド部２２Ｃは、第２方向において、第２位置よりも第１ガイド部２８に近い。なお、この後、現像カートリッジ１０１Ｍがドラムユニット１に装着されるとき、ロックレバー１１Ｍは、ボス１０４によって押圧されることにより、バネ部材２２から離れる方向に回動する。
【００４２】
そして、図３Ａに示すように、現像カートリッジ１０１Ｍがドラムユニット１に装着されたとき、ボス１０４は、ロックレバー１１Ｍと第２リブ２１との間に位置する。このとき、バネ部材２２は、第２ガイド部２２Ｃと現像カートリッジ１０１Ｍのボス１０４とが離間して第２位置（図３Ａ参照）に位置する。バネ部材２２が第２位置に位置するときに、第２ガイド部２２Ｃは、第２方向において、第１ガイド部２８から突出する。言い換えると、バネ部材２２が第２位置に位置するときに、第２ガイド部２２Ｃは、第２方向において、第１位置よりも第１ガイド部２８から離れる。現像カートリッジ１０１Ｍがドラムユニット１に装着された状態で、バネ部材２２が第２位置に位置するとき、第２ガイド部２２Ｃとロックレバー１１Ｍとの間の距離は、第１距離Ｄ１である。第１距離Ｄ１は、現像カートリッジ１０１Ｍのボス１０４の直径よりも小さい。これにより、バネ部材２２は、現像カートリッジ１０１Ｍがドラムユニット１に装着された状態で、現像カートリッジ１０１Ｍがドラムユニット１から取り外される方向に移動した場合、ボス１０４と接触する。これにより、バネ部材２２は、ロックレバー１１Ｍによる現像カートリッジ１０１Ｍに対するロックが解除されることを規制する。
【００４３】
また、バネ部材２２は、バネ部材２２自身の弾性により、第１位置から第２位置へ移動するように構成される。図６Ａおよび図６Ｂに示すように、バネ部材２２は、板バネからなる。詳しくは、バネ部材２２は、屈曲した金属板からなる。なお、バネ部材２２は、線ばねからなってもよい。詳しくは、バネ部材２２は、屈曲したワイヤーからなってもよい。バネ部材２２は、第１リブ２０（図７参照）に取り付けられた状態で、第１リブ２０を挟む。バネ部材２２は、第１部分２２Ａと、第２部分２２Ｂと、第２ガイド部２２Ｃとを有する。
【００４４】
２．２．４．１  第１部分２２Ａ
第１部分２２Ａは、バネ部材２２が第１リブ２０に取り付けられた状態で、第１リブ２０の傾斜部２５（図７参照）と接触する。第１部分２２Ａは、バネ部材２２が第２位置に位置する状態で、第２方向に延びる。第１部分２２Ａは、第２方向において、第１端Ｅ１と第２端Ｅ２とを有する。第１端Ｅ１は、第２ガイド部２２Ｃに連結される。第２端Ｅ２は、第２方向において、第１端Ｅ１から離れて位置する。第１部分２２Ａは、湾曲部３１と、開口３０とを有する。
【００４５】
湾曲部３１は、バネ部材２２が第１リブ２０に取り付けられた状態で、第１リブ２０の傾斜部２５（図７参照）に接触する。湾曲部３１は、第１部分２２Ａの第２端Ｅ２に位置する。湾曲部３１は、第２部分２２Ｂから離れる方向へ湾曲する。これにより、湾曲部３１は、バネ部材２２が第１リブ２０に取り付けられた状態で、第１リブ２０から離れる方向へ湾曲する。これにより、第１部分２２Ａは、バネ部材２２が第１位置と第２位置との間を移動するときに、傾斜部２５に対して容易に滑る。これにより、バネ部材２２は、第１位置と第２位置との間を円滑に移動することができる。
【００４６】
開口３０には、バネ部材２２が第１リブ２０に取り付けられた状態で、突起２７（図５参照）が挿入される。開口３０は、第１端Ｅ１と湾曲部３１との間に位置する。
【００４７】
２．２．４．２  第２部分２２Ｂ
第２部分２２Ｂは、バネ部材２２が第１リブ２０に取り付けられた状態で、第１リブ２０の接触部２６（図７参照）と接触する。第２部分２２Ｂは、第３方向において、第１部分２２Ａと離れて位置する。第２部分２２Ｂは、バネ部材２２が第２位置に位置する状態で、第２方向に延びる。第２部分２２Ｂは、第２方向において、第１端Ｅ１１と第２端Ｅ１２とを有する。第１端Ｅ１１は、第２ガイド部２２Ｃに連結される。第２端Ｅ１２は、第２方向において、第１端Ｅ１１から離れて位置する。第２部分２２Ｂは、湾曲部３２を有する。
【００４８】
湾曲部３２は、バネ部材２２が第１リブ２０に取り付けられた状態で、第１リブ２０の接触部２６（図７参照）に接触する。湾曲部３２は、第２部分２２Ｂの第２端Ｅ１２に位置する。湾曲部３２は、第１部分２２Ａから離れる方向へ湾曲する。これにより、湾曲部３２は、バネ部材２２が第１リブ２０に取り付けられた状態で、第１リブ２０から離れる方向へ湾曲する。これにより、第２部分２２Ｂは、バネ部材２２が第１位置と第２位置との間を移動するときに、接触部２６に対して容易に滑る。これにより、バネ部材２２は、第１位置と第２位置との間を円滑に移動することができる。
【００４９】
２．２．４．３  第２ガイド部２２Ｃ
図７および図８に示すように、第２ガイド部２２Ｃは、第１部分２２Ａと第２部分２２Ｂとを連結する。第２ガイド部２２Ｃは、現像カートリッジ１０１Ｍがドラムユニット１に装着される途中で、現像カートリッジ１０１Ｍのボス１０４と接触する。なお、現像カートリッジ１０１Ｍがドラムユニット１に装着される途中で、第２ガイド部２２Ｃが現像カートリッジ１０１Ｍのボス１０４によって押圧されることにより、バネ部材２２は、第２位置から第１位置へ向かって移動する。第２ガイド部２２Ｃが現像カートリッジ１０１Ｍのボス１０４と接触し、かつ、バネ部材２２が第１位置に位置するときの、第１部分２２Ａと第２部分２２Ｂとの間の長さＤ１１は、第２ガイド部２２Ｃが現像カートリッジ１０１Ｍのボス１０４と離間し、かつ、バネ部材２２が第２位置に位置するときの、第１部分２２Ａと第２部分２２Ｂとの間の長さＤ１２よりも大きい。詳しくは、図６Ａおよび図６Ｂに示すように、第２ガイド部２２Ｃは、第３部分３３と、第４部分３４とを有する。
【００５０】
第３部分３３は、第２部分２２Ｂから第１部分２２Ａとは離れて延びる。第３部分３３は、第２部分２２Ｂの第１端Ｅ１１から延びる。第３部分３３は、第３方向に延びる。第３部分３３は、第３方向において、第２部分２２Ｂに対して第１部分２２Ａの反対側に位置する。
【００５１】
第４部分３４は、第１部分２２Ａと第３部分３３とを繋ぐ。詳しくは、第４部分３４は、第１部分２２Ａの第１端Ｅ１と第３部分３３とを繋ぐ。第３部分３３が第２部分２２Ｂから第１部分２２Ａとは離れて延び、第４部分３４が第１部分２２Ａと第３部分３３とを繋ぐことにより、第２ガイド部２２Ｃが現像カートリッジ１０１Ｍのボス１０４によって押圧されたときに、第２部分２２Ｂが第１リブ２０から離れる方向に変形した場合でも、第２部分２２Ｂが復元しやすい。第４部分３４は、バネ部材２２が第１リブ２０に取り付けられた状態で、第２方向において、第２リブ２１（図７参照）よりも下流側に位置する。第４部分３４は、屈曲されている。詳しくは、第４部分３４は、第２方向に対して傾斜する傾斜部分３４Ａと、第２方向に沿って延びる延び部分３４Ｂとを有する。
【００５２】
傾斜部分３４Ａは、第２方向において、延び部分３４Ｂに対して下流側に位置する。傾斜部分３４Ａは、第２方向において、延び部分３４Ｂに対して、第３部分３３の反対側に位置する。傾斜部分３４Ａは、第３部分３３から離れる方向へ向かうにつれて、第１部分２２Ａに近づく方向に向かって傾斜する。傾斜部分３４Ａは、図８に示すように、バネ部材２２が第１位置に位置するときに、現像カートリッジ１０１Ｍがドラムユニット１に装着される途中のボス１０４の移動方向に延びる。これにより、現像カートリッジ１０１Ｍがドラムユニット１に装着される途中において、バネ部材２２が第１位置に位置するとき、バネ部材２２は、ボス１０４の移動を妨げない。
【００５３】
図６Ａおよび図６Ｂに示すように、延び部分３４Ｂは、第２方向において、傾斜部分３４Ａと第３部分３３との間に位置する。延び部分３４Ｂは、バネ部材２２が第２位置（図３Ａ参照）に位置するときに、現像カートリッジ１０１Ｍがドラムユニット１から取り外される途中のボス１０４の移動方向に対して交差する。これにより、現像カートリッジ１０１Ｍがドラムユニット１に装着されている状態で、バネ部材２２が第２位置に位置する場合、現像カートリッジ１０１Ｍがドラムユニット１から取り外される方向に移動したとき、延び部分３４Ｂは、ボス１０４と接触する。これにより、バネ部材２２は、第２位置に位置するときに、ロックレバー１１Ｍによる現像カートリッジ１０１Ｍに対するロックが解除されることを規制する。
【００５４】
また、第４部分３４は、現像カートリッジ１０１Ｍがドラムユニット１に装着されている状態で、バネ部材２２が第２位置に位置する場合（図３Ａ参照）、現像カートリッジ１０１Ｍがドラムユニット１から取り外される途中で、現像カートリッジ１０１Ｍのボス１０４と接触する。なお、現像カートリッジ１０１Ｍがドラムユニット１から取り外されるとき、第４部分３４とボス１０４とが接触した後、ボス１０４は、バネ部材２２を第２位置から第１位置に移動させるとともに、第１位置に位置したバネ部材２２とロックレバー１１Ｍとの間を通過する。ボス１０４は、作業者が現像カートリッジ１０１Ｍに加える力によって、バネ部材２２を第２位置から第１位置に移動させる。
【００５５】
３．ドラムユニット１に対する現像カートリッジ１０１Ｍの装着動作
以下、図７、図８および図３Ａを参照して、ドラムユニット１に対する現像カートリッジ１０１Ｍの装着動作について説明する。
【００５６】
作業者は、ドラムユニット１に対して現像カートリッジ１０１Ｍを装着するとき、現像カートリッジ１０１Ｍをドラムユニット１に挿入し（図７参照）、その後、現像軸Ａ２を中心として、現像カートリッジ１０１Ｍを回動させる（図８および図３Ａ参照）。ここで、ドラムユニット１に対して現像カートリッジ１０１Ｍを装着するときのボス１０４の移動方向は、画像形成装置１００（図２参照）に対するドラムユニット１の装着方向と反対の方向である。
【００５７】
図７に示すように、現像カートリッジ１０１Ｍがドラムユニット１に挿入されたとき、現像ローラ１０３は、ガイド４Ｍによって、感光ドラム３Ｍに対して位置決めされる。また、このとき、ボス１０４は、第２位置に位置するバネ部材２２の第２ガイド部２２Ｃに接触する。
【００５８】
次いで、図７および図８に示すように、現像カートリッジ１０１Ｍがドラムユニット１に対して回動されるとき、現像カートリッジ１０１Ｍは、現像ローラ１０３が感光ドラム３Ｍに対して位置決めされた状態で、現像軸Ａ２を中心として、回動する。このとき、ボス１０４は、バネ部材２２の第２ガイド部２２Ｃを押圧する。すると、バネ部材２２は、第２位置から第１位置に向かって移動する。
【００５９】
このとき、バネ部材２２は、第１部分２２Ａが傾斜部２５と接触した状態で、傾斜部２５の傾斜によって、第１部分２２Ａが第２部分２２Ｂから離れるように変形する。これにより、図８に示すように、第１部分２２Ａは、バネ部材２２が第１位置に位置するときに、バネ部材２２の弾性によって、傾斜部２５を、第３方向において第２部分２２Ｂに近づく方向に向かって押圧する。
【００６０】
次いで、図８および図３Ａに示すように、現像カートリッジ１０１Ｍがドラムユニット１に装着されると、バネ部材２２とボス１０４との接触が解除される。すると、バネ部材２２は、第１部分２２Ａが第２部分２２Ｂに近づくように復元しつつ、第１位置から第２位置へ移動する。
【００６１】
４．作用効果
ドラムユニット１によれば、図３Ａに示すように、現像カートリッジ１０１Ｍがドラムユニット１に装着されたとき、バネ部材２２が第２位置に位置する。
【００６２】
これにより、現像カートリッジ１０１Ｍがドラムユニット１に装着された状態で、ドラムユニット１に意図しない衝撃が加わったとしても、ボス１０４がバネ部材２２とロックレバー１１Ｍとの間を通過することを規制できる。
【００６３】
例えば、現像カートリッジ１０１Ｍを装着したドラムユニット１を、画像形成装置１００（図２参照）に装着するときに、ドラムユニット１を画像形成装置１００に強く押しこんだ場合、ドラムユニット１に、装着方向に向かう衝撃が加わる。
【００６４】
このような場合であっても、第２位置に位置するバネ部材２２により、ボス１０４がバネ部材２２とロックレバー１１Ｍとの間を通過することを規制できる。
【００６５】
その結果、ドラムユニット１に意図しない衝撃が加わった場合であっても、ドラムユニット１に対する現像カートリッジ１０１Ｍのロックを維持できる。
【００６６】
また、図８に示すように、現像カートリッジ１０１Ｍがドラムユニット１に装着される途中で、バネ部材２２が第１位置に位置することにより、ボス１０４がバネ部材２２とロックレバー１１Ｍとの間を通過することを規制しない。
【００６７】
これにより、現像カートリッジ１０１Ｍをドラムユニット１に円滑に装着することができる。
【００６８】
５．変形例
図９Ａから図１０Ｂを参照して、変形例について説明する。変形例において、上記した実施形態と同様の部材には同様の符号を付し、その説明を省略する。
【００６９】
変形例では、図９Ａおよび図９Ｂに示すように、バネ部材５０は、規制部５１と、コイルバネ５２とを有する。
【００７０】
規制部５１は、第１位置（図１０Ａおよび図１０Ｂ参照）と、第２位置（図９Ａおよび図９Ｂ参照）との間で移動可能である。規制部５１は、第２ガイド部５１Ａを有する。第２ガイド部５１Ａは、上記した実施形態の第２ガイド部２２Ｃと同様に、現像カートリッジ１０１Ｍがドラムユニット１に装着される途中（図７参照）で、現像カートリッジ１０１Ｍのボス１０４と接触する。そして、規制部５１は、第２ガイド部５１Ａがボス１０４によって押圧されることにより、第２位置から第１位置に移動する。そして、規制部５１は、現像カートリッジ１０１Ｍがドラムユニット１に装着された状態（図３Ａ参照）で、第２ガイド部５１Ａとボス１０４との接触が解除されて、第２位置に位置する。この状態で、規制部５１は、ロックレバー１１Ｍによるロックが解除されることを規制する。
【００７１】
図１０Ａおよび図１０Ｂに示すように、規制部５１が第１位置に位置するときに、第２ガイド部５１Ａは、第２方向において、第２位置よりも第１ガイド部２８に近い。図９Ａおよび図９Ｂに示すように、規制部５１が第２位置に位置するときに、第２ガイド部５１Ａは、第２方向において、第１ガイド部２８から突出する。言い換えると、規制部５１が第２位置に位置するときに、第２ガイド部５１Ａは、第２方向において、第１位置よりも第１ガイド部２８から離れる。
【００７２】
コイルバネ５２は、第１位置に位置する規制部５１を、第２位置へ向けて押圧する。コイルバネ５２は、規制部５１に接触する。第２ガイド部５１Ａが現像カートリッジ１０１Ｍのボス１０４と接触したときの、第２方向におけるコイルバネ５２の長さＬ１１（図１０Ｂ参照）は、第２ガイド部５１Ａが現像カートリッジ１０１Ｍのボス１０４から離間したときの、第２方向におけるコイルバネ５２の長さＬ１２（図９Ｂ参照）よりも短い。
【００７３】
変形例においても、上記した実施形態と同様の作用効果を得ることができる。
【符号の説明】
【００７４】
１        ドラムユニット
３Ｍ      感光ドラム
１１Ｍ    ロックレバー
１２Ｍ    離間レバー
２０      第１リブ
２１      第２リブ
２２      バネ部材
２２Ａ    第１部分
２２Ｂ    第２部分
２２Ｃ    第２ガイド部
２５      傾斜部
２５Ａ    一端
２５Ｂ    他端
２６      接触部
２６Ａ    一端
２６Ｂ    他端
２７      突起
２８      第１ガイド部
３１      湾曲部
３２      湾曲部
３３      第３部分
３４      第４部分
５０      バネ部材
５１      規制部
５１Ａ    第２ガイド部
５２      コイルバネ
１０１Ｍ  現像カートリッジ
１０２    筐体
１０３    現像ローラ
１０４    ボス
Ａ２      現像軸
Ｄ１      第１距離
【図１】
2018173562.tif 000003
【図２】
2018173562.tif 000004
【図３】
2018173562.tif 000005
【図４】
2018173562.tif 000006
【図５】
2018173562.tif 000007
【図６】
2018173562.tif 000008
【図７】
2018173562.tif 000009
【図８】
2018173562.tif 000010
【図９】
2018173562.tif 000011
【図１０】
2018173562.tif 000012